(57)【要約】【課題】ＦＲＰ成形品に割れが生ずることなく、また、ネジやナット等が露出することもなく、スッキリとした状態に容易に部品を取り付けできる浴室用ＦＲＰ成形品への部品取付構造を提供する。【解決手段】浴室用のＦＲＰ成形品１へ部品３を取り付ける取付構造であって、ＦＲＰ成形品１の成形時に、所定位置に円形突起２を一体形成させておき、この円形突起２を、部品３に形成した孔３ａ内に挿通させるとともに、この円形突起２をバネ板ナット４に圧入することにより、バネ板ナット４を介し部品３をＦＲＰ成形品１に固定することができる。【選択図】                図２
2004148011.tif 000002
【特許請求の範囲】
【請求項１】
浴室用のＦＲＰ成形品へ部品を取り付ける取付構造であって、前記ＦＲＰ成形品の成形時に、所定位置に円形突起を一体形成させておき、該円形突起を前記部品に形成した孔内に挿通させるとともに、該円形突起をバネ板ナットに圧入することにより、バネ板ナットを介し前記部品を前記ＦＲＰ成形品に固定することを特徴とする浴室用ＦＲＰ成形品への部品取付構造。
【請求項２】
浴室用のＦＲＰ成形品へ部品を取り付ける取付構造であって、前記ＦＲＰ成形品の成形時に、所定位置に円形突起を一体形成させておくとともに、前記部品にはバネ板ナットの機能を備えた孔を形成させておき、前記円形突起を前記孔内に圧入することにより、前記部品を前記ＦＲＰ成形品に固定することを特徴とする浴室用ＦＲＰ成形品への部品取付構造。
【請求項３】
前記浴室用のＦＲＰ成形品が、浴槽または浴槽エプロンであることを特徴とする請求項１または請求項２に記載の浴室用ＦＲＰ成形品への部品取付構造。
【請求項４】
前記ＦＲＰ成形品と前記部品間に、接着剤を介在させることを特徴とする請求項１または請求項２に記載の浴室用ＦＲＰ成形品への部品取付構造。
【発明の詳細な説明】
【０００１】
【発明の属する技術分野】
この発明は、浴室用のＦＲＰ成形品への部品の取付構造に関するものである。
【０００２】
【従来の技術】
従来、浴室用のＦＲＰ成形品へ金具等の部品を取り付ける場合、接着剤で固定するか、またはネジで固定するのが一般的である（例えば、特許文献１参照。）。
【０００３】
【特許文献１】
特開２００２−１６５７１７号公報
【０００４】
【発明が解決しようとする課題】
接着剤で固定した場合には、剥離等の不具合が生じ易いという問題点があり、ネジで固定する場合では、ＦＲＰ成形品に直接ネジを螺じ込む場合、ネジを螺じ込むだけの厚みがＦＲＰ成形品に必要となり、薄肉状のＦＲＰ成形品ではネジの頭が突出してしまい、見栄えが悪くなってしまうという問題点がある。また、ＦＲＰ成形品では、ビス等のネジを螺じ込むと、割れ易いという問題点もある。
また、ネジとナットで固定する場合には、ネジの頭やナットの部分のどちらかが露出して、意匠上好ましくないという問題点があった。
【０００５】
【課題を解決するための手段】
本発明は、上記従来の問題点に鑑み案出したものであって、浴室用ＦＲＰ成形品に割れが生じることがなく、薄肉状のものであっても良好に部品を固定でき、しかも意匠性に優れた取付状態が得られる浴室用ＦＲＰ成形品への部品取付構造を提供せんことを目的とし、その第１の要旨は、浴室用のＦＲＰ成形品へ部品を取り付ける取付構造であって、前記ＦＲＰ成形品の成形時に、所定位置に円形突起を一体形成させておき、該円形突起を前記部品に形成した孔内に挿通させるとともに、該円形突起をバネ板ナットに圧入することにより、バネ板ナットを介し前記部品を前記ＦＲＰ成形品に固定することである。
【０００６】
また第２の要旨は、浴室用のＦＲＰ成形品へ部品を取り付ける取付構造であって、前記ＦＲＰ成形品の成形時に、所定位置に円形突起を一体形成させておくとともに、前記部品にはバネ板ナットの機能を備えた孔を形成させておき、前記円形突起を前記孔内に圧入することにより、前記部品を前記ＦＲＰ成形品に固定することである。
【０００７】
また第３の要旨は、前記浴室用のＦＲＰ成形品が、浴槽または浴槽エプロンであることである。
また第４の要旨は、前記ＦＲＰ成形品と前記部品間に、接着剤を介在させることである。
【０００８】
【発明の実施の形態】
以下、本発明の実施例を図面に基づいて説明する。
図１は、浴室内に設置されるカウンターを裏返した斜視構成図であり、ＦＲＰ成形品であるカウンター１に、部品であるＬ金具３を取り付けた構造を示しており、本例では、別板材５をカウンター１に連結するためのＬ金具３の取付構造を示している。
図２の拡大分解図で示すように、カウンター１には、カウンター１を成形する際に予め所定位置に円形突起２が一体形成されている。
また、部品であるＬ金具３には、この円形突起２が挿通する内径寸法の孔３ａを形成させておく。
【０００９】
本例ではネジを用いることなく、バネ板ナット４を用いて固定するものであり、バネ板ナット４は、図３の拡大斜視図で示すように、リング状のリング部４ａの内周に、所定間隔をおいて複数のバネ片４ｂ，４ｂ，４ｂが形成されたものであり、この各バネ片４ｂは、先端が湾曲された自由端となってバネ性が付与されている。
【００１０】
Ｌ金具３の孔３ａ内に、カウンター１の円形突起２を挿通させた状態で、円形突起２の外周にバネ板ナット４を圧入させてゆくと、複数のバネ片４ｂ，４ｂ，４ｂが円形突起２の外周に噛み込まれて、強固に固定されるものであり、その固定状態は図４の断面図で示す。
なお、カウンター１とＬ金具３間に、予め接着剤６を介在させておいても良く、接着剤６を併用すれば、より強固な取付状態が得られるとともに、カウンター１の劣化に対し、特に、バネ板ナット４の取付部の劣化に十分に対応できるものとなる。
【００１１】
このように、円形突起２の外周にバネ板ナット４を圧入してゆけば、強固にＬ金具３をカウンター１に固定することができ、取付作業を極めて容易に行うことができるものとなり、従来のようなビス等のネジを使用することがないため、カウンター１が割れる等の不具合が生ずることも無い。
また、バネ板ナット４で取り付けることにより、スッキリとした取付構造となり、従来のように、ビスやネジの頭部等が露出して見栄えが悪くなることもない。
【００１２】
なお、本例では、浴室内に設置されるカウンター１にＬ金具３を取り付けた構造を例示しているが、浴室内に設置されるその他のＦＲＰ成形品においても、同様な取付構造で部品を取り付けることができるものである。
例えば、浴槽７や浴槽エプロン８に金具等の部品を同様な構造で、スッキリとした状態で取り付けることができるものである。
【００１３】
図６では、浴槽７と浴槽エプロン８の分解構成図を示しており、浴槽７には同様な構造で上金具９，９と、下金具１１，１１を取り付けておくことができ、エプロン８の裏側下部には、エプロン固定金具１０，１０を同様な構造で取り付けておくことができるものである。
【００１４】
エプロン８の裏側にエプロン固定金具１０を取り付けた断面拡大構成図を図７に示す。
即ち、エプロン８の裏側の所定位置には、エプロン８の成形時に一体状に突出させて円形突起８ａ，８ａを１個、または複数個形成させておき、エプロン固定金具１０の固定片１０ａには、円形突起８ａの数に相当する数の孔１０ｂ，１０ｂを貫通形成させておき、この孔１０ｂ，１０ｂ内にエプロン８の円形突起８ａ，８ａを挿通させて、その状態で、円形突起８ａ，８ａの外周にバネ板ナット４，４を圧入して、バネ板ナット４を介し強固にエプロン８にエプロン固定金具１０を取付固定できるものである。
【００１５】
なお、エプロン固定金具１０の固定片１０ａの下端には、９０°折曲して突出片１０ｃが一体形成されており、突出片１０ｃの先端には、上方へ山形状に盛り上げて山形係合部１０ｄが一体形成され、その先端には下傾状にガイド片１０ｅが一体形成されている。
このように、エプロン８にバネ板ナット４を介してエプロン固定金具１０を取り付けておき、エプロン８の上端側を浴槽７側の上金具９，９に係合させて、その状態で、浴槽７側の下金具１１，１１にそれぞれエプロン固定金具１０の山形係合部１０ｄを係合させて、良好にエプロン８を浴槽７に取り付けできるものである。
【００１６】
このように浴槽７やエプロン８のような薄肉状のＦＲＰ成形品に対しても、バネ板ナット４を介して、容易に金具等の部品を取り付けることができ、従来のように、浴槽７やエプロン８にビス等を螺じ込むだけの厚さを必要とせず、割れ等が生じることもなく、良好に金具等の部品を固定できるものである。
【００１７】
なお、図５には変更例を示しており、図５では、Ｌ金具３の孔３ａの内周に、複数のバネ片４ｂ，４ｂ，４ｂを一体形成させたものであり、この孔３ａの内周に設けられている複数のバネ片４ｂ，４ｂ，４ｂ，４ｂが、バネ板ナット４の機能を備え、円形突起２をＬ金具３の孔３ａ内に挿通させて、Ｌ金具３を押し付けることにより、バネ片４ｂ，４ｂが円形突起２の外周に圧入されて噛込状態となり、これにより、Ｌ金具３をカウンター１に強固に、且つ容易に取り付けできるものとなる。
この図５のような構成では、バネ板ナット４は用意する必要が無く、より安価な取付構造となる。
【００１８】
同様に図７のエプロン固定金具１０の孔１０ｂ，１０ｂの内周にも、同様なバネ片４ｂ，４ｂを一体形成させておけば、別にバネ板ナット４を用いることなく、直接的にエプロン８にエプロン固定金具１０を圧入して、強固に取り付けできるものとなる。
なお、本例では金具の取付構造を例示しているが、金具に限らず、他の部品においても同様な構造で、浴室用ＦＲＰ成形品に対し部品をスッキリとした状態に取り付けできるものである。
【００１９】
【発明の効果】
本発明は、浴室用のＦＲＰ成形品へ部品を取り付ける取付構造であって、ＦＲＰ成形品の成形時に、所定位置に円形突起を一体形成させておき、円形突起を部品に形成した孔内に挿通させるとともに、円形突起をバネ板ナットに圧入することにより、バネ板ナットを介し部品をＦＲＰ成形品に固定することとしたため、バネ板ナットを圧入することで取付作業が容易となり、従来のようにネジを用いていた場合のように、ネジが突出して見栄え性が悪くなったりすることもなく、またＦＲＰ成形品に割れが生ずることもなく、容易に強固に部品を浴室用ＦＲＰ成形品にスッキリとした状態で取り付けできるものとなる。
【００２０】
また、浴室用のＦＲＰ成形品へ部品を取り付ける取付構造であって、ＦＲＰ成形品の成形時に、所定位置に円形突起を一体形成させておくとともに、部品にはバネ板ナットの機能を備えた孔を形成させておき、円形突起を孔内に圧入することにより、部品をＦＲＰ成形品に固定することとしたため、部品の孔をＦＲＰ成形品の円形突起に圧入する作業により、部品の取り付けを完了することができ、取付作業が簡単となり、また別にバネ板ナットを用意する必要もなく、部品点数も減少して、スッキリとした取付状態が得られるものとなる。
しかも、従来のようにネジ等が露出することもなく、ＦＲＰ成形品に割れが生ずることもなく、意匠性が向上されるものとなる。
【００２１】
また、浴室用のＦＲＰ成形品が、浴槽または浴槽エプロンであることにより、薄肉部分の多い浴槽または浴槽エプロンに金具等の部品を、容易且つ良好に取り付けできるものとなる。
【００２２】
また、ＦＲＰ成形品と部品間に、接着剤を介在させることにより、より強固な取付状態が得られるとともに、ＦＲＰ成形品の劣化に対しても対応できるものとなる。
【図面の簡単な説明】
【図１】ＦＲＰ成形品であるカウンターにＬ金具を取り付けた状態の裏側から見た斜視構成図である。
【図２】図１の取付部材の分解斜視図である。
【図３】バネ板ナットの拡大斜視図である。
【図４】Ｌ金具の取付状態を示す断面拡大構成図である。
【図５】Ｌ金具の孔の内周に、一体状にバネ片を設けてバネ板ナットの機能を備えた構成の分解図である。
【図６】浴槽にエプロンを取り付ける前の分解斜視図である。
【図７】エプロンの裏側にエプロン固定金具を取り付けた状態の断面拡大構成図である。
【符号の説明】
１    カウンター
２    円形突起
３    Ｌ金具
３ａ    孔
４    バネ板ナット
４ａ    リング部
４ｂ    バネ片
６    接着剤
７    浴槽
８    エプロン
８ａ    円形突起
１０    エプロン固定金具
１０ａ    固定片
１０ｂ    孔
１０ｃ    突出片
１０ｄ    山形係合部
１０ｅ    ガイド片
【図１】
2004148011.tif 000003
【図２】
2004148011.tif 000004
【図３】
2004148011.tif 000005
【図４】
2004148011.tif 000006
【図５】
2004148011.tif 000007
【図６】
2004148011.tif 000008
【図７】
2004148011.tif 000009